(57)【要約】【課題】洗浄成分をより高濃度化することができるため搬送性等に優れ、使用時には、所望の濃度の希釈液体洗剤を容易に得ることができる濃縮液体洗剤を提供すること。【解決手段】水で希釈して使用する濃縮液体洗剤であって、第一の相と第二の相とを含み、上記第一の相と上記第二の相とは非相溶性であり、水で所定の倍率に希釈すると、上記第一の相と上記第二の相とは相溶性を示して、均一に分散された一相の液体となることを特徴とする濃縮液体洗剤。 【選択図】図１
2012255121.tif 000002
【特許請求の範囲】
【請求項１】
水で希釈して使用する濃縮液体洗剤であって、
第一の相と第二の相とを含み、
前記第一の相と前記第二の相とは非相溶性であり、
水で所定の倍率に希釈すると、前記第一の相と前記第二の相とは相溶性を示して、均一に分散された一相の液体となることを特徴とする濃縮液体洗剤。
【請求項２】
前記第一の相は、水溶性であり、
前記第二の相は、非水溶性である請求項１記載の濃縮液体洗剤。
【請求項３】
前記第一の相は、水と、アルカリ剤及び／又はキレート剤とを含み、
前記第二の相は、溶剤及び界面活性剤を含む請求項２記載の濃縮液体洗剤。
【請求項４】
前記アルカリ剤は、水酸化ナトリウム、水酸化カリウム、エタノールアミン、炭酸塩、ケイ酸塩、及び、リン酸塩からなる群から選ばれる少なくとも一種であり、
前記キレート剤は、エチレンジアミン四酢酸塩、ニトリロ三酢酸塩、ポリリン酸塩、及び、低分子量の有機酸塩からなる群から選ばれる少なくとも一種である請求項３に記載の濃縮液体洗剤。
【請求項５】
請求項１〜４のいずれかに記載の濃縮液体洗剤がプラスチックフィルム製のパウチ袋に保持されてなる、パウチ入り濃縮液体洗剤。
【請求項６】
請求項１〜４のいずれかに記載の濃縮液体洗剤を用いた被洗浄物の洗浄方法であって、
前記第一の相と前記第二の相とが互いに分離した前記濃縮液体洗剤を水で所定の倍率に希釈することで、一相からなる希釈液体洗剤とし、該希釈液体洗剤を用いて被洗浄物の洗浄を行うことを特徴とする被洗浄物の洗浄方法。
【請求項７】
前記濃縮液体洗剤は、プラスチックフィルム製のパウチ袋に保持されており、前記パウチ袋内で前記第一の相と前記第二の相とに分離している請求項６記載の被洗浄物の洗浄方法。
【請求項８】
前記濃縮液体洗剤を、水で２〜１０倍に希釈して使用する請求項６又は７に記載の被洗浄物の洗浄方法。
【発明の詳細な説明】
【技術分野】
【０００１】
本発明は、濃縮液体洗剤、パウチ入り濃縮液体洗剤及び被洗浄物の洗浄方法に関する。
【背景技術】
【０００２】
台所用、浴室用、厨房用等の洗剤として、液体洗剤が知られている。液体洗剤の中には、高濃度に濃縮した状態のものを、使用時に、所望の濃度に希釈して使用するものがある（例えば、特許文献１参照）。以下、このような液体洗剤を濃縮液体洗剤と称す。
濃縮液体洗剤は、例えば、保持用容器内に保持されてエンドユーザへと搬送され、エンドユーザが、濃縮液体洗剤を希釈用容器に移しかえ、水等の溶媒を用いて所望の濃度に希釈することにより使用する。以下、所望の濃度に希釈した液体洗剤を希釈液体洗剤と称す。
濃縮液体洗剤は、あらかじめ所望の濃度に設定された液体洗剤に比べて、保存場所や輸送重量を低減でき、これにより輸送費等のコストの削減が図れることから、より高濃度化することが望まれている。
【先行技術文献】
【特許文献】
【０００３】
【特許文献１】特開２００８−７４９７５号公報
【発明の概要】
【発明が解決しようとする課題】
【０００４】
上記特許文献１に記載のように、濃縮液体洗剤には、アルカリ剤、キレート剤、界面活性剤等の各種成分が含まれている。濃縮液体洗剤の高濃度化を図るために可溶化剤の量を減らすと、これらの成分が分離することがある。
従来、均一な組成を有する希釈液体洗剤を作製するには、濃縮液体洗剤においても成分が分離することなく、均一な組成を有することが必要と考えられていた。
そのため、濃縮液体洗剤を用いて均一な組成を有する希釈液体洗剤を得ようとする場合、まずは均一な組成を有する濃縮液体洗剤の組成を見出すことに注力し、得られた濃縮液体洗剤を希釈することによって均一な組成を有する希釈液体洗剤を調製するという手法が採られていた。
【０００５】
均一な組成を有する濃縮液体洗剤を調製するための手法として、可溶化剤を加える手法が知られていた。
可溶化剤は、洗浄成分の濃度が高くなるほど、多く配合する必要がある。
そのため、洗浄成分の濃度を高くした均一組成の濃縮液体洗剤では、可溶化剤の占める割合が高くなる。
しかしながら、可溶化剤は洗浄力の点では効果の少ない成分が多い。そのため、可溶化剤を多く配合することになると、可溶化剤を含めた濃縮液体洗剤において洗浄力に寄与する洗浄成分の割合が低くなってしまう。そして、本来の目的である洗剤の高濃度化が達成されなくなってしまう。
言い換えると、可溶化剤を多く配合することによって得られる、均一な組成を有する濃縮液体洗剤において、濃縮液体洗剤を高濃度化することには限界があった。
【０００６】
本発明は、上記のような課題を解決するためになされたものであり、洗浄成分をより高濃度化することができるため搬送性等に優れ、使用時には、所望の濃度の希釈液体洗剤を容易に得ることができる濃縮液体洗剤を提供することを目的とする。
また、洗浄成分がより高濃度化された濃縮液体洗剤が好ましい形態で保持されてなる、パウチ入り濃縮液体洗剤を提供することを目的とする。
また、洗浄成分がより高濃度化された濃縮液体洗剤を用いて被洗浄物を洗浄する方法を提供することを目的とする。
【課題を解決するための手段】
【０００７】
本発明者らは、水で希釈して使用する濃縮液体洗剤について検討したところ、可溶化剤を多く配合して均一に分散させた濃縮液体洗剤を得ようとするのではなく、濃縮液体洗剤の状態では、成分が分離していることを許容して、洗浄成分の濃度が高い非相溶性の二相の液体の状態で保持するようにした。
そして、洗浄成分の濃度が高い非相溶性の二相の液体を、希釈用容器において水で希釈することによって、均一に分散された一相の液体からなり洗浄成分が所望の濃度を有する希釈液体洗剤を容易に得られることを見いだした。
更に、このようにして得られた希釈液体洗剤は、各種成分が均一に分散・溶解されており、所望の洗浄力が得られることを見出した。
また、洗浄成分がより高濃度化された非相溶性の二相の液体がプラスチックフィルム製の袋に保持された状態となったパウチ入り濃縮液体洗剤は、濃縮液体洗剤の梱包の形態として好ましいことを見出した。
【０００８】
即ち、本発明の濃縮液体洗剤は、水で希釈して使用する濃縮液体洗剤であって、
第一の相と第二の相とを含み、
上記第一の相と上記第二の相とは非相溶性であり、
水で所定の倍率に希釈すると、上記第一の相と上記第二の相とは相溶性を示して、均一に分散・溶解された一相の液体となることを特徴とする。
本発明の濃縮液体洗剤は、使用時に所望の濃度に希釈して使用するものであるため、保存時（貯蔵時）の容積を小さくすることができ、搬送性に優れている。また、保管スペースの縮小にも寄与する。
また、濃縮液体洗剤の状態では、成分は分離していてもよいため、可溶化剤の量を低減することができ、洗浄成分の高濃度化を図ることができる。
また、洗浄力の点で効果が少ない成分である可溶化剤を多く使用する必要がないため、洗浄成分の高濃度化を図ることができる。
なお、上記所定の倍率とは、非相溶性を示していた上記第一の相と上記第二の相とが相溶性を示して、均一に分散された一相の液体の希釈液体洗剤となるような希釈倍率であれば特に限定されるものではない。希釈倍率は、濃縮液体洗剤の組成及び希釈液体洗剤の使用時に望まれる洗浄成分の濃度等に応じて定まる。
【０００９】
本発明の濃縮液体洗剤において、上記第一の相は、水溶性であり、上記第二の相は、非水溶性であることが望ましい。
【００１０】
また、上記第一の相は、主に水と、アルカリ剤及び／又はキレート剤とを含み、上記第二の相は、主に溶剤及び界面活性剤を含むことが望ましい。
【００１１】
本発明の濃縮液体洗剤において、上記アルカリ剤は、水酸化ナトリウム、水酸化カリウム、エタノールアミン、炭酸塩、ケイ酸塩、及び、リン酸塩からなる群から選ばれる少なくとも一種であり、上記キレート剤は、エチレンジアミン四酢酸塩、ニトリロ三酢酸塩、ポリリン酸塩、及び、低分子量の有機酸塩からなる群から選ばれる少なくとも一種であることが望ましい。
【００１２】
本発明のパウチ入り濃縮液体洗剤は、本発明の濃縮液体洗剤がプラスチックフィルム製のパウチ袋に保持されてなる。
本発明のパウチ入り濃縮液体洗剤には、洗浄成分が高濃度化された濃縮液体洗剤が保持されているので、プラスチックフィルム製のパウチ袋で保持可能な程度の少量の濃縮液体洗剤から、希釈により大量の希釈液体洗剤を得ることができる。
また、濃縮液体洗剤を収容する容器としては金属製缶容器などが用いられることが多いが、金属製缶容器は一般的に大きく、重く、使用後にゴミの量が多くなるものである。本発明のパウチ入り濃縮液体洗剤のように、濃縮液体洗剤の容器をプラスチック製のパウチ袋にすることにより、容器を金属製缶容器とした場合に比較して使用後のゴミの廃棄量を大幅に削減することができる。
【００１３】
本発明の被洗浄物の洗浄方法は、本発明の濃縮液体洗剤を用いた被洗浄物の洗浄方法であって、上記第一の相と上記第二の相とが互いに分離した上記濃縮液体洗剤を水で所定の倍率に希釈することで、一相からなる希釈液体洗剤とし、該希釈液体洗剤を用いて被洗浄物の洗浄を行うことを特徴とする。
本発明の被洗浄物の洗浄方法では、洗浄成分が高い濃度で含まれた濃縮液体洗剤を水で希釈することによって、一相からなる希釈液体洗剤を得ることができる。該希釈液体洗剤には被洗浄物の洗浄に適した濃度の洗浄成分が含まれているため、被洗浄物の洗浄を好適に行うことができる。
【００１４】
上記濃縮液体洗剤は、プラスチックフィルム製のパウチ袋に保持されており、上記パウチ袋内で上記第一の相と上記第二の相とに分離していることが望ましい。
【００１５】
本発明の被洗浄物の洗浄方法においては、上記濃縮液体洗剤を、水で２〜１０倍に希釈して使用することが望ましい。
【発明の効果】
【００１６】
本発明の濃縮液体洗剤は、洗浄成分をより高濃度化することができるため、可溶化剤の量を低減して保存時（貯蔵時）の容積を小さくすることができ、搬送性等に優れる。また、洗浄力の点で効果が少ない成分である可溶化剤を多く使用することがないため、洗浄成分の高濃度化を図ることができる。
本発明のパウチ入り濃縮液体洗剤では、洗浄成分が高濃度化された濃縮液体洗剤が保持されているので、プラスチックフィルム製のパウチ袋で保持可能な程度の少量の濃縮液体洗剤から、希釈により大量の希釈液体洗剤を得ることができる。
本発明の被洗浄物の洗浄方法では、洗浄成分が高い濃度で含まれた濃縮液体洗剤を水で希釈することによって、一相からなる希釈液体洗剤を得ることができる。該希釈液体洗剤には被洗浄物の洗浄に適した濃度の洗浄成分が含まれているため、被洗浄物の洗浄を好適に行うことができる。
【図面の簡単な説明】
【００１７】
【図１】本発明の濃縮液体洗剤を保存用容器に保持した状態を模式的に示す平面図である。
【図２】本発明の濃縮液体洗剤の使用方法の一例を模式的に示す斜視図である。
【図３】本発明の濃縮液体洗剤の使用方法の一例を模式的に示す斜視図である。
【発明を実施するための形態】
【００１８】
（第一実施形態）
以下、本発明の濃縮液体洗剤、パウチ入り濃縮液体洗剤、及び、被洗浄物の洗浄方法の一実施形態である第一実施形態について図面を用いて説明する。
【００１９】
はじめに、本実施形態に係る濃縮液体洗剤及びパウチ入り濃縮液体洗剤について説明する。
本発明の濃縮液体洗剤は、水で希釈して使用する濃縮液体洗剤であって、
第一の相と第二の相とを含み、
上記第一の相と上記第二の相とは非相溶性であり、
水で所定の倍率に希釈すると、上記第一の相と上記第二の相とは相溶性を示して、均一に分散された一相の液体となることを特徴とする。
【００２０】
本発明の濃縮液体洗剤は、水で希釈して使用するものである。例えば、保存用容器に保持された濃縮液体洗剤を他の容器に移し、水で希釈する。
水で希釈することによって、均一に分散された一相の液体の希釈液体洗剤が得られる。
図１は、本発明の濃縮液体洗剤を保存用容器に保持した状態を模式的に示す平面図である。
図１において、濃縮液体洗剤１００は、保存用容器に保持されている。ここでは、保存用容器として、プラスチックフィルム製の袋であるパウチ１１０を用いている。パウチ１１０は、製品包装の簡易化・軽量化が図れるものであり、廃棄物を低減することもできることから、濃縮液体洗剤１００の保存用容器として好適である。パウチ１１０には、開封する際に引き裂く起点となるノッチ１１１が設けられている。
パウチ１１０に保持された濃縮液体洗剤１００は、第一の相１０１と第二の相１０２との二相に分離している。第一の相１０１と第二の相１０２とは、非相溶性であり、例えば、パウチ１１０を振る等して、第一の相１０１と第二の相１０２とが一時的に混ざりあったような状態になっても、時間の経過とともに第一の相１０１と第二の相１０２とは二相に分離する。
【００２１】
本発明の濃縮液体洗剤において水で希釈する倍率（所定の倍率）は、二相に分離している第一の相１０１と第二の相１０２とが相溶性を示して、均一に分散された一相の液体となるような倍率であれば特に限定されるものではなく、濃縮液体洗剤１００の組成及び希釈液体洗剤の使用時に望まれる洗浄成分の濃度等に応じて定まる。
【００２２】
本発明の濃縮液体洗剤において、第一の相１０１は水溶性であり、第二の相１０２は非水溶性であることが望ましい。
第一の相１０１としては、水と、アルカリ剤及び／又はキレート剤とを含むものが挙げられる。
アルカリ剤としては、特に限定されるものではないが、水酸化ナトリウム、水酸化カリウム、エタノールアミン、炭酸塩、ケイ酸塩、及び、リン酸塩からなる群から選ばれる少なくとも一種であることが望ましい。
キレート剤としては、特に限定されるものではないが、エチレンジアミン四酢酸塩、ニトリロ三酢酸塩、ポリリン酸塩、及び、低分子量の有機酸塩からなる群から選ばれる少なくとも一種であることが好ましい。
本明細書において、低分子量の有機酸塩とは、分子量が１０００以下のものをいう。このような分子量を有する有機酸塩としては、クエン酸ナトリウム、クエン酸カルシウム等のクエン酸塩、リンゴ酸ナトリウム、リンゴ酸カルシウム等のリンゴ酸塩、グルコン酸ナトリウム、グルコン酸カルシウム等のグルコン酸塩等が挙げられる。
【００２３】
第二の相１０２としては、溶剤及び界面活性剤を含むものが挙げられる。
溶剤としては、特に限定されるものではないが、エーテル類、アルコール類、脂肪族炭化水素類、芳香族炭化水素類、グリコールエーテル類等を使用することができる。この中でグリコールエーテル類又はアルコール類が好ましく、グリコールエーテル類としてはジエチレングリコールモノブチルエーテル、モノアルキルプロピレングリコール等が挙げられる。
【００２４】
界面活性剤の具体例としては、直鎖アルキルベンゼンスルホン酸塩（ＬＡＳ）、ポリオキシアルキレン分岐デシルエーテル、ヤシ油脂肪酸アミドプロピルベタイン、アルキルグルコシド、アルキルアミンオキシド等が挙げられる。
界面活性剤の中では、低ＨＬＢの界面活性剤等の、難水溶性の界面活性剤が好ましい。
【００２５】
なお、本明細書において、「濃縮液体洗剤」とは、アルカリ剤、キレート剤、及び、界面活性剤からなる洗浄成分が、液体洗剤中に５０重量％以上含まれるものをいう。
【００２６】
本発明の濃縮液体洗剤には、上記成分の他に必要に応じて、泡調整剤、除菌剤、香料、色粉、防腐剤、中和剤、増粘剤、ｐＨ調整剤、殺菌剤等が含まれていてもよい。
【００２７】
また、本発明の濃縮液体洗剤には少量の可溶化剤が含まれていてもよい。可溶化剤の配合量は、濃縮液体洗剤を希釈して得られる希釈液体洗剤において、希釈液体洗剤を均一な液組成とするために必要な量であればよい。
可溶化剤としては、プロピレングリコール、エチレングリコール、エタノール、ジプロピレングリコール、２−メトキシエタノール、２−エトキシエタノール、キシレンスルホン酸塩、クメンスルホン酸塩、カプリル酸塩、オクチル酸塩等が挙げられる。
【００２８】
本実施形態に係るパウチ入り濃縮液体洗剤は、本実施形態に係る濃縮液体洗剤がプラスチックフィルム製のパウチ袋に保持されてなる。
既に説明した通り、濃縮液体洗剤はパウチ袋内で二相に分離している。
パウチ袋内で洗剤が二相に分離していても、パウチ袋入り濃縮液体洗剤を使用する際に、希釈用容器に濃縮液体洗剤を全量投入して希釈することによって、均一な組成の希釈液体洗剤を得ることができる。
【００２９】
次に、本発明の濃縮液体洗剤を用いた洗浄方法の一例について説明する。
本発明の濃縮液体洗剤を用いた被洗浄物の洗浄方法は、
上記第一の相と上記第二の相とが互いに分離した上記濃縮液体洗剤を水で所定の倍率に希釈することで、一相からなる希釈液体洗剤とし、該希釈液体洗剤を用いて被洗浄物の洗浄を行うことを特徴とする。
【００３０】
図２及び図３は、本発明の濃縮液体洗剤の使用方法の一例を模式的に示す斜視図である。
本実施形態の濃縮液体洗剤１００をパウチ１１０に入れて使用する場合は、図２に示すように、濃縮液体洗剤１００が入ったパウチ１１０を両手で持ち、ノッチ１１１を始点として、ノッチ１１１の延長線上に沿ってフィルムを引き裂いて、注ぎ口部１１２の先端をパウチ１１０から切り取り、適当な広さの注ぎ口部１１２を開口する。
フィルムを引き裂く前に、濃縮液体洗剤が全て下方に溜まった状態としておき、注ぎ口部１１２の先端に泡などが付着していないようにしておくことが望ましい。
【００３１】
そして、図３に示すように、開口したパウチ１１０の注ぎ口部１１２を希釈用容器１２０の投入口１２１に差し込む。
注ぎ口部１１２の先端を投入口１２１に差し込むようにすると、濃縮液体洗剤１００が全て自重によって希釈用容器１２０内に注入されるため、濃縮液体洗剤１００をスムーズに希釈用容器１２０内に注ぐことができる。
このような手順で希釈用容器１２０に濃縮液体洗剤１００を注ぐと、パウチ１１０に保持された濃縮液体洗剤１００が作業者の手に付着することを避けることができる。
【００３２】
次いで、濃縮液体洗剤１００を注いだ希釈用容器１２０に更に水を注いで濃縮液体洗剤１００を所定の倍率に希釈する。水を注いだ希釈用容器１２０を手で持ち、軽く振る等して容器内の液体を攪拌する。
所定の倍率とは、第一の相と第二の相とが均一に分散して一相からなる希釈液体洗剤が得られる程度の倍率であり、好ましくは、２〜１０倍に希釈する。
【００３３】
そして、この希釈された希釈液体洗剤を用いて被洗浄物の洗浄を行う。
被洗浄物は、特に限定されるものではなく、希釈液体洗剤の組成に応じて定まる。
また、洗浄方法も特に限定されるものではなく、被洗浄物に応じて、手洗い、漬け置き洗い等の方法を定めればよい。
被洗浄物としては、例えば、浴室や浴槽といった浴室用具が挙げられる。浴室用具の洗浄に使用される希釈液体洗剤は、風呂用洗剤である。
他の被洗浄物としては、例えば、食器や調理器具等の台所用具が挙げられる。台所用具の手洗い洗浄に使用される希釈液体洗剤は、台所用手洗い洗剤である。
他の被洗浄物としては、例えば、油汚れが付着する厨房用具が挙げられる。厨房用具の洗浄に使用される希釈液体洗剤は、厨房用洗剤であり、アルカリ洗剤が適している。
【実施例】
【００３４】
以下に本発明をより具体的に説明する実施例を示すが、本発明はこれらの実施例に限定されるものではない。
【００３５】
（実施例１）
アルカリ剤として水酸化カリウム水溶液（純分４８ｗｔ％）２６．９３ｗｔ％、キレート剤としてＥＤＴＡ溶液１６．５ｗｔ％、泡調整剤としてカプリル酸１．７５ｗｔ％、カプリン酸１．７５ｗｔ％、アニオン性界面活性剤として直鎖アルキルベンゼンスルホン酸ナトリウム１３．４３ｗｔ％、非イオン系界面活性剤１．５０ｗｔ％、除菌剤として２，４，４’−トリクロロ−２’−ヒドロキシジフェニルエーテル０．５０ｗｔ％、溶剤としてジエチレングリコールモノブチルエーテル３３．５３ｗｔ％、非イオン系界面活性剤３．００ｗｔ％、香料としてＤ−リモネン１．００ｗｔ％、色粉０．００７５ｗｔ％、防腐剤０．０５ｗｔ％を混合攪拌し、濃縮液体洗剤を得た。
そして、得られた濃縮液体洗剤１０００ｇを、透明なプラスチックフィルム製のパウチに入れて保存したところ、パウチ内の液体は、二相に分離していた。
【００３６】
（希釈及び洗浄）
パウチ内の濃縮液体洗剤（１０００ｇ）を希釈用容器に全て入れ、水４０００ｇを投入して攪拌し、希釈液体洗剤を得た。希釈倍率は、５倍であった。
希釈液体洗剤の状態を目視にて観察したところ、希釈液体洗剤は二相に分離しておらず、均一に分散した一相の液体となった。得られた希釈液体洗剤を用いて浴槽に付着した湯垢汚れの洗浄を行ったところ、良好な洗浄性が得られた。
【００３７】
（実施例２）
可溶化剤としてエタノール１．０ｗｔ％、プロピレングリコール１．０ｗｔ％、中和剤及び増粘剤として水酸化マグネシウム１．１ｗｔ％、ｐＨ調製剤としてトリエタノールアミン８．８ｗｔ％、界面活性剤として直鎖アルキルベンゼンスルホン酸塩３８．０ｗｔ％、ヤシ油脂肪酸アミドプロピルベタイン１．６ｗｔ％、アルキルグルコシド１．６ｗｔ％、ポリオキシエチレンアルキルエーテル６．２ｗｔ％、防腐剤としてイソチアゾリン・臭素化合物混合系防腐剤０．００７ｗｔ％、水４０．７ｗｔ％を混合して攪拌し、濃縮液体洗剤を得た。
そして、得られた濃縮液体洗剤１０００ｇを、透明なプラスチックフィルム製のパウチに入れて保存したところ、パウチ内の液体は、２０℃で二相に分離していた。
【００３８】
（希釈及び洗浄）
パウチ内の濃縮液体洗剤（１０００ｇ）を希釈用容器に全て入れ、水４０００ｇを投入して攪拌し、希釈液体洗剤を得た。希釈倍率は、５倍であった。
希釈液体洗剤の状態を目視にて観察したところ、希釈液体洗剤は二相に分離しておらず、均一に分散した一相の液体となった。得られた希釈液体洗剤を用いて食器に付着した食品汚れの洗浄を行ったところ、良好な洗浄性が得られた。
【００３９】
（実施例３）
アルカリ剤として水酸化カリウム水溶液（純分４８ｗｔ％）４．８ｗｔ％、モノエタノールアミン１２．６ｗｔ％、界面活性剤としてアルキルアミンオキシド１３．０ｗｔ％、ポリオキシエチレンアルキルエーテル７．６ｗｔ％、キレート剤としてＥＤＴＡ２．０ｗｔ％、溶剤としてモノアルキルプロピレングリコール５．４ｗｔ％、殺菌剤として塩化ベンザルコニウム０．３ｗｔ％、香料０．２ｗｔ％、水５４．１ｗｔ％を混合して攪拌し、濃縮液体洗剤を得た。
そして、得られた濃縮液体洗剤１０００ｇを、透明なプラスチックフィルム製のパウチに入れて保存したところ、パウチ内の液体は、二相に分離していた。
【００４０】
（希釈及び洗浄）
パウチ内の濃縮液体洗剤（１０００ｇ）を希釈用容器に全て入れ、水４０００ｇを投入して攪拌し、希釈液体洗剤を得た。希釈倍率は、５倍であった。
希釈液体洗剤の状態を目視にて観察したところ、希釈液体洗剤は二相に分離しておらず、均一に分散した一相の液体となった。得られた希釈液体洗剤を用いて厨房用具に付着した油汚れの洗浄を行ったところ、良好な洗浄性が得られた。
【符号の説明】
【００４１】
１００  濃縮液体洗剤
１０１  第一の相
１０２  第二の相
１１０  パウチ
１１１  ノッチ
１１２  注ぎ口部
１２０  希釈用容器
１２１  投入口
【図１】
2012255121.tif 000003
【図２】
2012255121.tif 000004
【図３】
2012255121.tif 000005